(57)【要約】      （修正有）【課題】広角且つ高ズーム比で、全ズーム範囲で高い光学性能を有するズームレンズおよびそれを有する小型の撮像装置の提供。【解決手段】物体側から順に配置された、変倍時に不動で、３枚以上のレンズで構成される正の第１群Ｂ１、広角端から望遠端への変倍時に像側に移動するレンズ群から構成される負の第２群Ｂ２、広角端から望遠端への変倍に際して物体側に移動するレンズ群から構成される正の第３群Ｂ３、変倍および焦点調整時に移動する負の第４群Ｂ４、後群ＢＲで構成され、第１群の焦点距離、広角端における焦点距離、第２群のレンズ群のうち広角端から望遠端への変倍における移動量が最大であるレンズ群の移動量、広角端から望遠端への変倍で第２群と逆方向に移動するレンズ群で広角端と望遠端における位置の変異量の最大値、第１群の最も像側の正レンズのｄ線に対する屈折率、第１群の正レンズ以外の正レンズのｄ線に対する屈折率の平均を設定する。【選択図】図１
2018025624.tif 000002
【特許請求の範囲】
【請求項１】
物体側から像側へ順に配置された、変倍に際して不動であり、正の屈折力を有する１つのレンズ群からなる第１群、広角端から望遠端への変倍に際して像側に移動する１つ以上のレンズ群から構成され、全体として負の屈折力を有する第２群、広角端から望遠端への変倍に際して物体側に移動する１つ以上のレンズ群から構成され、全体として正の屈折力を有する第３群、変倍およびフォーカシングに際して移動し、負の屈折力を有する１つのレンズ群からなる第４群、１つ以上のレンズ群からなる後群から構成され、変倍に際して隣接するレンズ群の間隔が変化するズームレンズであって、
前記第１群は少なくとも３枚のレンズにより構成され、
前記第１群の焦点距離をｆ１、広角端における全系の焦点距離をｆｗ、前記第２群に含まれる前記レンズ群のうち広角端から望遠端への変倍における移動量が最大であるレンズ群の移動量をＭ２、広角端から望遠端への変倍における移動方向が前記第２群と逆方向であるレンズ群の中で広角端から望遠端への変倍における移動量が最大であるレンズ群の移動量をＭｖ、前記第１群の中の最も像側に配置される正レンズＧ１ｐｒの材料のｄ線に対する屈折率をＮｄ１ｐｒ、前記第１群に含まれる前記正レンズＧ１ｐｒ以外の正レンズの材料のｄ線に対する屈折率の平均をＮｄ１ｐｆとし、移動量の符号は広角端よりも望遠端の方が物体側に位置するときを負、像側に位置するときを正とするとき、
４．８０＜ｆ１／ｆｗ＜８．００
−５．００＜Ｍ２／Ｍｖ＜−１．５０
−３．５０＜Ｍｖ／ｆｗ＜−０．７７
０．９９＜Ｎｄ１ｐｒ／Ｎｄ１ｐｆ＜１．４０
なる条件式を満足することを特徴とするズームレンズ。
【請求項２】
前記第１群の焦点距離をｆ１、前記第２群の焦点距離をｆ２とするとき、
−７．００＜ｆ１／ｆ２＜−４．５０
なる条件式を満足することを特徴とする請求項１に記載のズームレンズ。
【請求項３】
前記第３群の焦点距離をｆ３、広角端における全系の焦点距離をｆｗとするとき、
１．５０＜ｆ３／ｆｗ＜３．５０
なる条件式を満足することを特徴とする請求項１または２に記載のズームレンズ。
【請求項４】
前記第４群の焦点距離をｆ４、広角端における全系の焦点距離をｆｗとするとき、
−４．００＜ｆ４／ｆｗ＜−１．００
なる条件式を満足することを特徴とする請求項１乃至３のいずれか１項に記載のズームレンズ。
【請求項５】
前記第２群と前記第３群の間に開口絞りを有することを特徴とする請求項１乃至４のいずれか１項に記載のズームレンズ。
【請求項６】
前記開口絞りは変倍時には光軸方向に移動しない、ことを特徴とする請求項５に記載のズームレンズ。
【請求項７】
前記第３群は負レンズを含むことを特徴とする請求項１乃至６のいずれか１項に記載のズームレンズ。
【請求項８】
前記第２群に含まれる前記レンズ群のうち広角端から望遠端への変倍における移動量が最大であるレンズ群の移動量をＭ２、前記第２レンズ群の焦点距離をｆ２とするとき、
−４．５０＜Ｍ２／ｆ２＜−２．５０
なる条件式を満足することを特徴とする請求項１乃至７のいずれか１項に記載のズームレンズ。
【請求項９】
前記第４群の広角端における横倍率をβ４ｗ、前記後群の広角端における横倍率をβＲｗとするとき、
−４．００＜(１−β４ｗ２)×βＲｗ２＜−１．４０
なる条件式を満足することを特徴とする請求項１乃至８のいずれか１項に記載のズームレンズ。
【請求項１０】
請求項１乃至９のいずれか１項に記載のズームレンズと、該ズームレンズによって形成された像を受光する撮像素子を有することを特徴とする撮像装置。
【発明の詳細な説明】
【技術分野】
【０００１】
本発明は、ズームレンズおよびそれを有する撮像装置に関し、例えばデジタルスチルカメラ、ビデオカメラ、監視カメラ、放送用カメラ等の撮像装置に用いる撮像光学系として好適なものである。
【背景技術】
【０００２】
近年、固体撮像素子を用いたデジタルスチルカメラ、ビデオカメラ等の装置全体の小型化が進んできた。そしてそれに用いる撮像光学系として明るくかつ高ズーム比で、しかも全ズーム範囲にわたり高い光学性能を有したズームレンズであること等が要求されている。一方で、高画質で被写界深度の浅い画を得るために固体撮像素子の大型化も望まれており、ズームレンズはより一層の小型化が求められている。
【０００３】
従来から、物体側より像側へ順に、正、負、正、負、正の屈折力の第１レンズ群乃至第５レンズ群よりなる５群ズームレンズが知られている。
【０００４】
例えば、特許文献１では物体側より順に正、負、正、負、正の屈折力を有するレンズ群を配し、ズーミングに際して第２レンズ群、第３レンズ群、第５レンズ群が移動するレンズが開示されている。特許文献２では物体側より順に正、負、正、正、負、正の屈折力を有するレンズ群を配し、実質、正、負、正、負、正の構成でズーミングに際して第２レンズ群、第３レンズ群、第４レンズ群が移動する構成が開示されている。
【先行技術文献】
【特許文献】
【０００５】
【特許文献１】特開２０１３−０１５７４３号公報
【特許文献２】特開２０１２−０４７８１４号公報
【発明の概要】
【発明が解決しようとする課題】
【０００６】
前述した屈折力配置の５群ズームレンズは全系の小型化を図りつつ、高ズーム比化を図りつつ高い光学性能を得ることが比較的容易である。しかしながら、広角化を図ろうとすると、第１レンズ群の有効径が増大してくるため、全系の小型軽量化が困難となる。また、望遠端での焦点距離を長くしつつ、高ズーム比化を図ろうとすると球面収差、非点収差、そして色収差等の諸収差が増大してきて、高い光学性能を維持するのが難しくなってくる。
【０００７】
５群ズームレンズにおいて、全系の小型化を図りつつ、広角化、高ズーム比化を図り、全ズーム範囲にわたり高い光学性能を得るには、各レンズ群の屈折力やレンズ構成、そして各レンズ群のズーミングに伴う移動条件等を適切に設定することが重要となる。例えば、第１レンズ群の焦点距離や、ズーミングの際の第２レンズ群と第３レンズ群の移動量の関係を適切に設定することが重要になってくる。これらの要素を適切に設定しないと全系の小型化を図り、広角且つ高ズーム比で、全ズーム範囲で高い光学性能を得るのが大変困難になってくる。
【０００８】
特許文献１では、第３レンズ群の移動量が小さく、高ズーム比化するために第２レンズ群の移動量が大きくなるため、第１レンズ群の有効径を小さく維持しながら広角化、高ズーム比化することが難しい。特許文献２では、第１レンズ群の焦点距離が短く、高ズーム比をすることで悪化してくる望遠側のズームポジションにおける球面収差や、コマ収差を良好に補正することが難しい。
【０００９】
本発明は、全系の小型化を図りながら、広角且つ高ズーム比で、全ズーム範囲で高い光学性能を有するズームレンズおよびそれを有する撮像装置を提供することを目的としている。
【課題を解決するための手段】
【００１０】
上記目的を達成するために、本発明のズームレンズは、物体側から像側へ順に配置された、変倍に際して不動であり、正の屈折力を有する１つのレンズ群からなる第１群、広角端から望遠端への変倍に際して像側に移動する１つ以上のレンズ群から構成され、全体として負の屈折力を有する第２群、広角端から望遠端への変倍に際して物体側に移動する１つ以上のレンズ群から構成され、全体として正の屈折力を有する第３群、変倍およびフォーカシングに際して移動し、負の屈折力を有する１つのレンズ群からなる第４群、１つ以上のレンズ群からなる後群から構成され、変倍に際し隣接するレンズ群の間隔が変化し、前記第１群は少なくとも３枚のレンズにより構成され、前記第１群の焦点距離をｆ１、広角端における全系の焦点距離をｆｗ、前記第２群に含まれる前記レンズ群のうち広角端から望遠端への変倍における移動量が最大であるレンズ群の移動量をＭ２、広角端から望遠端への変倍において前記第２群と逆方向に移動するレンズ群の中で広角端と望遠端における位置の変異量が最も大きいレンズ群の移動量をＭｖ、前記第１群の中の最も像側に配置される正レンズＧ１ｐｒの材料のｄ線に対する屈折率をＮｄ１ｐｒ、前記第１群に含まれる前記正レンズＧ１ｐｒ以外の正レンズの材料のｄ線に対する屈折率の平均をＮｄ１ｐｆとし、移動量の符号は広角端よりも望遠端の方が物体側に位置するときを負、像側に位置するときを正とするとき、
４．８０＜ｆ１／ｆｗ＜８．００
−５．００＜Ｍ２／Ｍｖ＜−１．５０
−３．５０＜Ｍｖ／ｆｗ＜−０．７７
０．９９＜Ｎｄ１ｐｒ／Ｎｄ１ｐｆ＜１．４０
なる条件式を満足することを特徴とする。
【発明の効果】
【００１１】
本発明によれば、全系の小型化を図りながら、広角且つ高ズーム比で、全ズーム範囲で高い光学性能を有するズームレンズおよびそれを有する撮像装置を提供することができる。
【図面の簡単な説明】
【００１２】
【図１】数値実施例１の広角端において無限遠合焦時のレンズ断面図
【図２】数値実施例１の広角端（ａ）、ズーム中間（ｂ）、望遠端（ｃ）で無限遠合焦時の収差図
【図３】数値実施例２の広角端において無限遠合焦時のレンズ断面図
【図４】数値実施例２の広角端（ａ）、ズーム中間（ｂ）、望遠端（ｃ）で無限遠合焦時の収差図
【図５】数値実施例３の広角端において無限遠合焦時のレンズ断面図
【図６】数値実施例３の広角端（ａ）、ズーム中間（ｂ）、望遠端（ｃ）で無限遠合焦時の収差図
【図７】数値実施例４の広角端において無限遠合焦時のレンズ断面図
【図８】数値実施例４の広角端（ａ）、ズーム中間（ｂ）、望遠端（ｃ）で無限遠合焦時の収差図
【図９】数値実施例５の広角端において無限遠合焦時のレンズ断面図
【図１０】数値実施例５の広角端（ａ）、ズーム中間（ｂ）、望遠端（ｃ）で無限遠合焦時の収差図
【図１１】数値実施例６の広角端において無限遠合焦時のレンズ断面図
【図１２】数値実施例６の広角端（ａ）、ズーム中間（ｂ）、望遠端（ｃ）で無限遠合焦時の収差図
【図１３】数値実施例７の広角端において無限遠合焦時のレンズ断面図
【図１４】数値実施例７の広角端（ａ）、ズーム中間（ｂ）、望遠端（ｃ）で無限遠合焦時の収差図
【図１５】数値実施例８の広角端において無限遠合焦時のレンズ断面図
【図１６】数値実施例８の広角端（ａ）、ズーム中間（ｂ）、望遠端（ｃ）で無限遠合焦時の収差図
【図１７】数値実施例９の広角端において無限遠合焦時のレンズ断面図
【図１８】数値実施例９の広角端（ａ）、ズーム中間（ｂ）、望遠端（ｃ）で無限遠合焦時の収差図
【図１９】本発明のズームレンズを搭載するビデオカメラ（撮像装置）の要部概略図
【発明を実施するための形態】
【００１３】
以下に、本発明の実施の形態を添付の図面に基づいて詳細に説明する。
本発明のズームレンズは、物体側より像側へ順に、変倍に際して不動であり、正の屈折力を有する１つのレンズ群からなる第１群、広角端から望遠端への変倍に際して像側に移動する１つ以上のレンズ群から構成され、全体で負の屈折力を有する第２群、広角端から望遠端への変倍に際して物体側に移動する１つ以上のレンズ群から構成され、全体で正の屈折力を有する第３群、変倍およびフォーカシングに際して移動し、負の屈折力を有する１つのレンズ群からなる第４群、１つ以上のレンズ群からなる後群より構成されている。
ここで、本明細書においてレンズ群とは、変倍に際して同一の軌跡で移動する１つ以上のレンズを示す。つまり、変倍に際して隣接するレンズ群の間隔が変化する。レンズ群は必ずしも複数枚のレンズを含む必要はなく、１枚のレンズによりレンズ群が構成されることもある。また、第１群、第２群、第３群、第４群、後群の各群は、１つ以上のレンズ群から構成されるものとする。なお、本発明においては、第１群と第４群は、すべての実施例において１つのレンズ群から構成されるので、第１レンズ群、第４レンズ群とも記載する。また、第２群、第３群、後群についても、１つのレンズ群で構成される実施例においては、それぞれ、第２レンズ群、第３レンズ群、後レンズ群とも記載する。
【００１４】
図１は本発明の実施例１としての数値実施例１の広角端で無限遠物体合焦時におけるレンズ断面図である。図２（Ａ）、（Ｂ）、（Ｃ）は、数値実施例１の広角端、焦点距離５０．２６ｍｍ、望遠端における無限遠物体合焦時における縦収差図である。
各実施例のズームレンズは撮像装置に用いられる撮影光学系であり、レンズ断面図において、左方が被写体側（物体側）で、右方が像側である。レンズ断面図において、Ｂ１は正の屈折力の第１群、Ｂ２は負の屈折力の第２群、Ｂ３は正の屈折力の第３群、Ｂ４は正の屈折力の第４群、ＢＲは後群である。
【００１５】
ＳＰは開口絞りであり、第２群Ｂ２と第３群Ｂ３の間に位置している。矢印は広角端から望遠端へのズーミングに際しての移動軌跡およびフォーカスの際の移動方向を示している。各実施例のズームレンズは、ズーミングに際して開口絞りＳＰを不動としているが、適切な範囲で可動としても良い。ズーミングに際して開口絞りＳＰを可動とすることによりさらなる全系の小型化が容易になるが、各実施例では開口絞りＳＰをズーミングに際して不動とし、撮像装置を簡素化している。Ｐは光学フィルタ、フェースプレート等に相当する光学ブロックである。Ｉは像面であり、デジタルスチルカメラやビデオカメラの撮影光学系として使用する際にはＣＣＤセンサやＣＭＯＳセンサ等の固体撮像素子の撮像面が、銀塩フィルム用カメラのときはフィルム面に相当する。
【００１６】
収差図のうち、球面収差においてｄはｄ線、ｇはｇ線である。非点収差図においてΔＭ、ΔＳは各々メリジオナル像面、サジタル像面である。倍率色収差はｇ線によって表している。また、ＦｎｏはＦナンバーである。ωは半画角（度）である。なお、以下の各実施例において広角端と望遠端は変倍レンズ群が機構上光軸方向において移動可能な範囲の両端に位置したときのズーム位置をいう。
【００１７】
各実施例では、広角端から望遠端へのズーミングに際して矢印のように、第２群Ｂ２が像側に単調移動している。また第３群Ｂ３は広角端に比べて望遠端において物体側に位置するようにして変倍を行っている。また、第４群Ｂ４を物体側に凸状もしくはＳ字状の軌跡で移動させることで変倍に伴う像面変動を補正している。また、各実施例では、第４群Ｂ４を光軸上移動させてフォーカシング（フォーカス）を行うリヤーフォーカス式を採用している。第４群Ｂ４に関する実線の曲線と点線の曲線は、各々無限遠と近距離にフォーカスしているときのズーミングに伴う像面変動を補正するための移動軌跡である。第４群Ｂ４を物体側へ凸状の軌跡とすることで第３群Ｂ３と第４群Ｂ４間の空間の有効利用を図り、レンズ全長の短縮化を図っている。また、各実施例では望遠端において無限遠から近距離へフォーカスを行う場合には、第４群Ｂ４を像側に繰り出すことで行っている。なお、各実施例においては撮影時に、第３群Ｂ３の全体または一部を光軸に対して垂直方向の成分を持つ方向に移動させることによってズームレンズが振動したときに生ずる撮影画像のブレを補正するようにしても良い。即ち像ぶれ補正を行っても良い。
【００１８】
各実施例のズームレンズは、物体側から像側へ順に、変倍に際して不動であり、正の屈折力を有する１つのレンズ群からなる第１群、変倍に際して不動であり、正の屈折力を有する１つのレンズ群からなる第１群、広角端から望遠端への変倍に際して像側に移動する１つ以上のレンズ群から構成され、全体で負の屈折力を有する第２群、広角端から望遠端への変倍に際して物体側に移動する１つ以上のレンズ群から構成され、全体で正の屈折力を有する第３群、変倍およびフォーカシングに際して移動し、負の屈折力を有する１つのレンズ群からなる第４群、１つ以上のレンズ群からなる後群で構成されている。隣接する前記レンズ群の間隔は変倍において変化する。第１群は３枚以上のレンズにより構成されている。第１群の焦点距離をｆ１、広角端における全系の焦点距離をｆｗ、前記第２群に含まれるレンズ群のうち広角端から望遠端へのズーミングにおける移動量が最大であるレンズ群の移動量をＭ２、広角端から望遠端へのズーミングにおいて第２群と逆方向に移動するレンズ群の中で広角端と望遠端における位置の変位量が最も大きいレンズ群の移動量をＭｖ、前記第１群の中の最も像側に配置される正レンズＧ１ｐｒの材料のｄ線に対する屈折率をＮｄ１ｐｒ、前記第１群の中の前記正レンズＧ１ｐｒ以外の正レンズの材料のｄ線に対する屈折率の平均をＮｄ１ｐｆとし、移動量の符号は広角端よりも望遠端の方が物体側に位置するときを負、像側に位置するときを正とするとき、
４．８０＜ｆ１／ｆｗ＜８．００  ・・・（１）
−５．００＜Ｍ２／Ｍｖ＜−１．５０  ・・・（２）
−３．５０＜Ｍｖ／ｆｗ＜−０．７７  ・・・（３）
０．９９＜Ｎｄ１ｐｒ／Ｎｄ１ｐｆ＜１．４０  ・・・（４）
なる条件式を満足する。
【００１９】
なお、位置の差Ｍ２、Ｍｖは単調に移動するときは移動量に相当する。往復移動するときは、往復距離は含まず広角端における位置と望遠端における光軸方向の位置の差である。また、第２群が複数のレンズ群で構成される場合、最も移動量が大きいレンズ群の移動量をＭ２とする。
【００２０】
本発明のズームレンズは前述の如く構成して全系が小型で高ズーム比化を確保するのに適した構成としている。第１群Ｂ１は偏芯すると望遠端において像面湾曲が回転対称でなくなり、例えば画面の左右で合焦する被写体距離が異なってしまい好ましくない。そのため、第１群Ｂ１はズーミングに際して不動としている。第２群Ｂ２および第３群Ｂ３を移動させる事で変倍を行なっている。第３群Ｂ３を移動させて中間のズーム位置において入射瞳位置を短くして前玉有効径の小型化も図っている。第４群Ｂ４は変倍に伴う像面変動を補正するために移動させている。
【００２１】
また、第１群Ｂ１は、３枚以上のレンズで構成される。第１群Ｂ１の有効径を小さくするためには、第１群Ｂ１を構成する正レンズの中の最も像側のレンズの正レンズの材料の屈折率を高くすることが有効である。しかしながら屈折率が高い硝材は、アッベ数も大きくなる傾向にあるため、屈折率の高い材料を正レンズに用いる場合、特に望遠端の軸上色収差の補正が困難となる。そこで、正レンズを追加し、材料に分散が小さい材料を使うことで、望遠端の軸上色収差の補正を良好に行いながら、第１群Ｂ１の有効径を小さくすることができる。加えて、第１群Ｂ１を構成するレンズの各面の曲率を緩くする効果も得られるため、望遠側のズームポジションでコマ収差や球面収差を良好に補正することが可能となる。そして前述の条件式（１）〜（４）を満足している。
【００２２】
次に条件式（１）〜（４）の技術的意味について説明する。
条件式（１）は第１群Ｂ１の焦点距離と広角端における全系の焦点距離の比を規定している。条件式（１）の上限の条件が満たされないと、第１群Ｂ１の屈折力が弱くなるため、所定のズーム比を得るために必要な第２群Ｂ２の移動量が増大するので、全長の短縮や第１群の小型化が困難となる。逆に条件式（１）の下限の条件が満たされないと、小型化には有利な構成となるが、望遠側のズームポジションにおける球面収差や、コマ収差を良好に補正することが困難となる。
【００２３】
条件式（２）は、広角端から望遠端へのズーミングにおける第２群Ｂ２の移動量と、広角端から望遠端へのズーミングにおける移動方向が第２群Ｂ２と逆方向のレンズ群の中で最も移動量の大きいレンズ群の移動量の関係を規定している。条件式（２）の上限の条件が満たされないと、第２群Ｂ２の移動量が大きくなり、第１群Ｂ１から開口絞りＳＰまでの距離が長くなり、第１群Ｂ１が大型化するため、小型化が困難となる。逆に条件式（２）の下限の条件が満たされないと、主変倍群である第２群Ｂ２以外でズーム比を稼ぐ必要があるため、第２群Ｂ２以外のズーミングにおける移動量が増大するため、レンズ全長が長くなり易く、小型化が困難となる。
【００２４】
条件式（３）は、広角端から望遠端へのズーミングにおける移動方向が第２群Ｂ２と逆方向のレンズ群の中で最も移動量の大きいレンズ群の移動量と、広角端における全系の焦点距離の比を規定している。条件式（３）の上限の条件が満たされないと、第３群Ｂ３のズーミングにおける移動量が大きくなりすぎ、レンズ全長が長くなり易くなるため、小型化が困難となる。逆に条件式（３）の下限の条件が満たされないと、第３群Ｂ３の移動量が小さくなり、所定のズーム比を得るために必要な第２群Ｂ２の移動量が増大するため、全長や第１群Ｂ１の小型化が困難となる。
【００２５】
条件式（４）は、第１群Ｂ１を構成する正レンズの中の最も像側のレンズの材料の屈折率と、前記第１群Ｂ１を構成する正レンズの中の最も像側のレンズ以外の正レンズの材料の屈折率の平均値の関係を規定している。
【００２６】
第１群Ｂ１において、レンズ内を通る光線と光軸の成す角は、最も像側の正レンズ内で最大となる。そのため、第１群Ｂ１内で最も像側の正レンズを薄くすると物体側のレンズ面と像側のレンズ面の光線有効径差が小さくなり前玉有効径の小型化が容易になる。但し、第１群Ｂ１内で最も像側の正レンズの屈折力を弱くしてしまうと、より物体側まで光軸に対して急な角度で光線が通過する様になってしまい、前玉有効径が大きくなってしまう。従って、第１群Ｂ１内で最も像側の正レンズの材料の屈折率を高くする事でレンズ面の曲率半径を大きくし、屈折力を一定の位置に維持したままレンズを薄くする事が、前玉有効径の小型化には有効である。
【００２７】
条件式（４）の上限の条件が満たされないと、第１群Ｂ１を構成するレンズの有効径を小さくし易く、小型化に有利な構成となるが、ペッツバール和が増大し像面湾曲の補正が困難となる。逆に条件式（４）の下限の条件が満たされないと、第１群の物体側に配置されるレンズの有効径を小さくすることが難しく、小型化が困難となる。
【００２８】
さらに好ましくは、条件式（１）〜条件式（４）は次の如く設定するのが良い。
４．９０＜ｆ１／ｆｗ＜７．８０  ・・・（１ａ）
−４．６０＜Ｍ２／Ｍｖ＜−１．６０  ・・・（２ａ）
−３．００＜Ｍｖ／ｆｗ＜−０．７８  ・・・（３ａ）
１．００＜Ｎｄ１ｐｒ／Ｎｄ１ｐｆ＜１．３０  ・・・（４ａ）
【００２９】
更なる本発明のズームレンズの態様として、フォーカシングに際して第４群Ｂ４が移動する。本発明のズームレンズではフォーカシングのためだけに移動するレンズ群は設けず、変倍時の像面移動を補正するレンズ群と兼ねて、機構を簡略化している。また、フォーカシングに際して撮影画角の変化が小さい方が好ましく、本発明のズームレンズでは、変倍作用が小さい第３群Ｂ３より像側に配されるレンズ群でフォーカスを行なうのが良い。フォーカスレンズ群の軽量化も考えれば、正の屈折力有する第３群Ｂ３に近いと有効径が小さくなり易いため、第４群Ｂ４でフォーカスを行なうのが望ましい。
【００３０】
更なる本発明のズームレンズの態様として、以下の条件式を満足するのが望ましい。
−７．００＜ｆ１／ｆ２＜−４．５０  ・・・（５）
但し、広角端における第２群Ｂ２の焦点距離をｆ２とする。
【００３１】
条件式（５）は、第１群Ｂ１の焦点距離と広角端における第２群Ｂ２の焦点距離の比を規定している。条件式（５）の上限の条件が満たされないと、望遠側のズームポジションにおいて、球面収差やコマ収差の補正が困難となる。逆に条件式（５）の下限の条件が満たされないと、広角側のズームポジションにおいて、非点収差の補正が困難となる。
【００３２】
さらに好ましくは、条件式（５）は次の如く設定するのが良い。
−６．５０＜ｆ１／ｆ２＜−４．７０  ・・・（５ａ）
【００３３】
更なる本発明のズームレンズの態様として、以下の条件式を満足するのが望ましい。
１．５０＜ｆ３／ｆｗ＜３．５０  ・・・（６）
但し、広角端における第３群Ｂ３の焦点距離をｆ３とする。
【００３４】
条件式（６）は、広角端における第３群の焦点距離と広角端におけるズームレンズ全系の焦点距離の比を規定している。条件式（６）の上限の条件が満たされないと、ズーミングに際して第３群Ｂ３の移動量が大きくなり、レンズ全長が増加してしまう。逆に条件式（６）の下限の条件が満たされないと、ズーム全域で球面収差を良好に補正することが困難となる。
【００３５】
さらに好ましくは、条件式（６）は次の如く設定するのが良い。
１．６０＜ｆ３／ｆｗ＜３．２０  ・・・（６ａ）
【００３６】
更なる本発明のズームレンズの態様として、以下の条件式を満足するのが望ましい。
−４．００＜ｆ４／ｆｗ＜−１．００  ・・・（７）
但し、第４群Ｂ４の焦点距離をｆ４とする。
【００３７】
条件式（７）は、第４群Ｂ４の焦点距離と広角端におけるズームレンズ全系の焦点距離の比を規定している。条件式（７）の上限の条件が満たされないと、ズーミングおよびフォーカシングに際して第４群Ｂ４が移動する際の像面位置変動が大きくなりすぎ、精度よく像面補正を行うことが困難となる。逆に条件式（７）の下限の条件が満たされないと、ズーミングおよびフォーカシングに際して第４群Ｂ４の移動量が大きくなり、レンズ全長が増加してしまう。
【００３８】
さらに好ましくは、条件式（７）は次の如く設定するのが良い。
−３．５０＜ｆ４／ｆｗ＜−１．３０  ・・・（７ａ）
【００３９】
更なる本発明のズームレンズの態様として、第２群Ｂ２と第３群Ｂ３の間に開口絞りＳＰが配置されることが好ましい。ズーミングで移動する第２群Ｂ２と第３群Ｂ３の間に開口絞りＳＰを配置し、第２群Ｂ２と第３群Ｂ３それぞれの移動量を適切に割り振ることで、第１群Ｂ１から開口絞りＳＰまでの距離を制御し、第１群Ｂ１の有効径を小さくすることが容易にできる。また、開口絞りＳＰは、ズーミングに際して光軸方向に移動しないことが好ましい。開口絞りＳＰがズームで移動する場合、開口径を制御する機構と一緒に移動させる必要があるため、駆動機構が複雑化し、それに伴う駆動のための消費電力増大が避けられない。
【００４０】
更なる本発明のズームレンズの態様として、第３群Ｂ３は少なくとも１枚の負レンズを有することが好ましい。第３群Ｂ３はズーミングに際し光軸方向に移動するレンズ群であり、広角側のズームポジションにおいて、他のレンズ群に比べて軸上光線の光線高さが高いレンズ群であり、軸上色収差や、球面収差の波長毎の違いに影響が大きいレンズ群である。そのため、負レンズを配置し、第３群Ｂ３内での色収差補正を良好に行うことが、ズーム全域で良好に色収差補正を行うために重要である。
【００４１】
更なる本発明のズームレンズの態様として、以下の条件式を満足するのが望ましい。
−４．５０＜Ｍ２／ｆ２＜−２．５０  ・・・（８）
【００４２】
条件式（８）は、広角端から望遠端へのズーミングにおける第２群Ｂ２の移動量Ｍ２と、広角端における第２群Ｂ２の焦点距離ｆ２の比を規定している。条件式（８）の上限の条件が満たされないと、ズーミングに際して第２群Ｂ２の移動量が大きくなりすぎ、第１群Ｂ１と開口絞りＳＰが離れてしまうため、第１群Ｂ１の有効径を小さくすることが困難となる。逆に条件式（８）の下限の条件が満たされないと、第２群Ｂ２の移動量が小さくなりすぎ、高ズーム比化を達成することが困難となる。
【００４３】
さらに好ましくは、条件式（８）は次の如く設定するのが良い。
−４．２０＜Ｍ２／ｆ２＜−２．７０  ・・・（８ａ）
【００４４】
更なる本発明のズームレンズの態様として、以下の条件式を満足するのが望ましい。
−４．００＜(１−β４ｗ２)×βＲｗ２＜−１．４０  ・・・（９）
【００４５】
条件式（９）は、第４群の広角端における横倍率β４ｗと、後群の広角端における横倍率βＲｗの関係を規定している。第４群はフォーカシングに際して移動するレンズ群であり、条件式（９）は、第４群が移動することで生じる結像位置のずれ量に比例する。条件式（９）が所定の範囲となることで、フォーカシングの際の第４群の移動量を抑えながら、フォーカシングによる収差変動を抑制することができる。条件式（９）の上限の条件が満たされないと、フォーカシングに際して第４群の移動量が大きくなりすぎ、全長を短くすることが困難となる。逆に条件式（９）の下限の条件が満たされないと、フォーカシングによる球面収差や、像面湾曲の変動が抑えられなくなる。
【００４６】
さらに好ましくは、条件式（９）は次の如く設定するのが良い。
−３．８００＜(１−β４ｗ２)×βＲｗ２＜−１．５５  ・・・（９ａ）
【００４７】
以下に本発明のズームレンズの具体的な構成について、実施例１〜９に対応する数値実施例１〜９のレンズ構成の特徴により説明する。
【実施例１】
【００４８】
本実施例における第１群Ｂ１について説明する。第１群Ｂ１は第１面から第７面に対応する。第１群Ｂ１は、物体側に凸面のメニスカス凹レンズと両凸レンズの接合レンズ、物体側に凸面のメニスカス凸レンズ、物体側に凸面のメニスカス凸レンズで構成される。第２群Ｂ２は、第８面から第１５面に対応し、両凹レンズ、両凹レンズ、像側に凸面のメニスカス凹レンズ、両凸レンズで構成される。また、第１０面、１１面は非球面形状で、主に変倍に伴う像面湾曲、周辺像高におけるコマ収差の変動を補正している。開口絞りＳＰは第１６面に対応し、第２群Ｂ２と第３群Ｂ３の間に配置される。第３群Ｂ３は、第１７面から第２５面に対応し、両凸レンズ、両凹レンズ、両凸レンズ、物体側に凸面のメニスカス凹レンズと両凸レンズの接合レンズで構成される。また、第１７面、１８面は非球面形状で、主に変倍に伴う球面収差の変動を補正している。また、第２３面から第２５面に対応する接合正レンズは、光軸と直交する成分を有する方向に移動することで手振れなどによる振動を補正する機能を有する。第４群Ｂ４は、第２６面から第２８面に対応し、像側が凸面のメニスカス凸レンズと両凹の接合レンズで構成される。また、第４群Ｂ４は、無限遠側（図１中の実線）から至近側（図１中の破線）への合焦時に像側へ移動する合焦群である。後群ＢＲは、第２９面から第３３面に対応し、両凸レンズと像側が凸面のメニスカス凹レンズの接合レンズと両凸レンズで構成される。
【００４９】
上記実施例１に対応する数値実施例１について説明する。数値実施例１に限らず全数値実施例において、ｉは物体側からの面（光学面）の順序を示し、ｒｉは物体側より第ｉ番目の面の曲率半径、ｄｉは物体側より第ｉ番目の面と第ｉ＋１番目の面の間隔（光軸上）を示している。また、ｎｄｉ、νｄｉは、第ｉ番目の面と第ｉ＋１番目の面との間の媒質（光学部材）のｄ線に対する屈折率、アッベ数を、ＢＦは空気換算のバックフォーカスを表している。なお、アッベ数νは、フラウンフォーファ線のｄ線（５８７．６ｎｍ）、Ｆ線（４８６．１ｎｍ）、Ｃ線（６５６．３ｎｍ）に対する屈折率をそれぞれｎｄ、ｎＦ、ｎＣとしたとき、
ν＝（ｎｄ−１）／（ｎＦ−ｎＣ）
で表される。非球面形状は光軸方向にＸ軸、光軸と垂直方向にＨ軸、光の進行方向を正とし、Ｒを近軸曲率半径、ｋを円錐常数、Ａ４、Ａ６、Ａ８、Ａ１０、Ａ１２をそれぞれ非球面係数としたとき、次式で表している。また、「ｅ−Ｚ」は「×１０−Ｚ」を意味する。半画角は光線追跡で求めた値である。
【数１】
2018025624.tif 000003
【００５０】
本実施例の各条件式対応値を表１に示す。本実施例は（１）〜（９）式を満足しており、全系の小型化を図りながら、広角且つ高ズーム比で、全ズーム範囲で高い光学性能を有するズームレンズを達成している。本発明のズームレンズは、（１）〜（４）式を満足することは必須であるが、（５）〜（９）式については満足していなくても構わない。但し、（５）〜（９）式について少なくとも１つでも満足していればさらに良い効果を奏することができる。これは他の実施例についても同様である。
【００５１】
図１９は各実施例のズームレンズを撮影光学系として用いた撮像装置（テレビカメラシステム）の概略図である。図１９において１０１は実施例１〜９のいずれかのズームレンズである。１２４はカメラである。ズームレンズ１０１はカメラ１２４に対して着脱可能となっている。１２５はカメラ１２４にズームレンズ１０１を装着することで構成される撮像装置である。ズームレンズ１０１は第１群Ｆ、変倍部ＬＺ、後群Ｒを有している。変倍部ＬＺには合焦用レンズ群が含まれている。変倍部ＬＺは変倍のために光軸上を移動する第２群および第３群と、変倍に伴う像面変動を補正するために光軸上を移動する第４群が含まれている。第４群は、無限遠側から至近側への合焦時に像側へ移動する合焦群を兼ねる。ＳＰは開口絞りである。１１５は、変倍部ＬＺを光軸方向に駆動するヘリコイドやカム等の駆動機構である。１１７、１１８は駆動機構１１５および開口絞りＳＰを電動駆動するモータ（駆動手段）である。１２０、１２１は、変倍部ＬＺの光軸上の位置や、開口絞りＳＰの絞り径を検出するためのエンコーダやポテンショメータ、あるいはフォトセンサ等の検出器である。カメラ１２４において、１０９はカメラ１２４内の光学フィルタや色分解光学系に相当するガラスブロック、１１０はズームレンズ１０１によって形成された被写体像を受光するＣＣＤセンサやＣＭＯＳセンサ等の固体撮像素子（光電変換素子）である。なお、電子撮像素子を用いる場合、電子的に収差補正をすることで出力画像をさらに高画質化することができる。また、１１１、１２２はカメラ１２４およびズームレンズ１０１の各種の駆動を制御するＣＰＵである。このように、本発明のズームレンズをデジタルビデオカメラやテレビカメラやシネマ用カメラに適用することにより、高い光学性能を有する撮像装置を実現している。
【実施例２】
【００５２】
図３は本発明の実施例２（数値実施例２）であるズームレンズにおいて、広角端で無限遠に合焦しているときのレンズ断面図である。図４において、（ａ）は広角端、（ｂ）は焦点距離５４．４５ｍｍ、（ｃ）は望遠端の縦収差図を示している。いずれの収差図も、無限遠に合焦しているときの縦収差図である。図３において、物体側から像側へ順に、正の屈折力の第１群Ｂ１を有している。さらに、広角端から望遠端への変倍に際して、像側へ移動する変倍用の負の屈折力の第２群Ｂ２を有している。さらに、広角端から望遠端への変倍に際して、光軸上を非直線的に移動する変倍用の正の屈折力の第３群Ｂ３を有している。さらに、第２群と第３群の移動に連動して光軸上を非直線的に移動し、変倍に伴う像面変動を補正する負の屈折力の第４群Ｂ４を有している。さらに第４群は無限遠側（図３中の実線）から至近側（図３中の破線）への合焦時に像側へ移動する。さらに、変倍のためには移動しない結像作用を有する正の屈折力の後群ＢＲを有している。変倍に際して、第１、２、３、４、後群の隣接するレンズ群の間隔が変化するように構成されている。ＳＰは開口絞り、Ｉは像面である。
【００５３】
次に、本実施例における第１群Ｂ１について説明する。第１群Ｂ１は第１面から第８面に対応する。第１群Ｂ１は、物体側が凸面のメニスカス凹レンズ、両凸レンズ、物体側が凸面のメニスカス凸レンズ、物体側が凸面のメニスカス凸レンズで構成される。第２群Ｂ２は、第９面から第１４面に対応し、物体側が凸面のメニスカス凹レンズ、両凹レンズ、両凸レンズで構成される。また、第１０面は非球面形状で、主に変倍に伴う像面湾曲、周辺像高におけるコマ収差の変動を補正している。開口絞りＳＰは第１５面に対応し、第２群Ｂ２と第３群Ｂ３の間に配置される。第３群Ｂ３は、第１６面から第２４面に対応し、両凸レンズ、物体側が凸面のメニスカス凹レンズ、両凸レンズ、両凸レンズと像側が凸面のメニスカス凹レンズの接合レンズで構成される。また、第１６面、１７面は非球面形状で、主に変倍に伴う球面収差の変動を補正している。また、第２２面から第２４面に対応する接合正レンズは、光軸と直交する成分を有する方向に移動することで手振れなどによる振動を補正する機能を有する。第４群Ｂ４は、第２５面から第２７面に対応し、像側が凸面のメニスカス凸レンズと両凹の接合レンズで構成される。また、第４群Ｂ４は、無限遠側から至近側への合焦時に像側へ移動する合焦群である。後群ＢＲは、第２８面から第３２面に対応し、物体側が凸面のメニスカス凹レンズと物体側が凸面のメニスカス凸レンズの接合レンズと両凸レンズで構成される。本実施例の各条件式対応値を表１に示す。本実施例は（１）〜（９）式を満足しており、全系の小型化を図りながら、広角且つ高ズーム比で、全ズーム範囲で高い光学性能を有するズームレンズを達成している。
【実施例３】
【００５４】
図５は本発明の実施例３（数値実施例３）であるズームレンズにおいて、広角端で無限遠に合焦しているときのレンズ断面図である。図６において、（ａ）は広角端、（ｂ）は焦点距離４４．５１ｍｍ、（ｃ）は望遠端の縦収差図を示している。いずれの収差図も、無限遠に合焦しているときの縦収差図である。図５において、物体側から像側へ順に、正の屈折力の第１群Ｂ１を有している。さらに、広角端から望遠端への変倍に際して、像側へ移動する変倍用の負の屈折力の第２群Ｂ２を有している。さらに、広角端から望遠端への変倍に際して、光軸上を非直線的に移動する変倍用の正の屈折力の第３群Ｂ３を有している。さらに、第２群と第３群の移動に連動して光軸上を非直線的に移動し、変倍に伴う像面変動を補正する負の屈折力の第４群Ｂ４を有している。さらに第４群は無限遠側（図５中の実線）から至近側（図５中の破線）への合焦時に像側へ移動する。さらに、広角端から望遠端への変倍に際して、光軸上を非直線的に移動する変倍用の正の屈折力の第１の後レンズ群ＢＲ１を有している。さらに、変倍のためには移動しない結像作用を有する第２の後レンズ群ＢＲ２を有している。本実施例においては、後群ＢＲは、第１の後レンズ群ＢＲ１と第２の後レンズ群ＢＲ２とから構成される。変倍に際して、隣接するレンズ群の間隔が変化するように構成される。ＳＰは開口絞り、Ｉは像面である。
【００５５】
次に、本実施例における第１群Ｂ１について説明する。第１群Ｂ１は第１面から第７面に対応する。第１群Ｂ１は、物体側が凸面のメニスカス凹レンズと両凸レンズの接合レンズ、物体側が凸面のメニスカス凸レンズ、物体側が凸面のメニスカス凸レンズで構成される。第２群Ｂ２は、第８面から第１５面に対応し、物体側が凸面のメニスカス凹レンズ、両凹レンズ、像側が凸面のメニスカス凹レンズ、両凸レンズで構成される。また、第１０面、１１面は非球面形状で、主に変倍に伴う像面湾曲、周辺像高におけるコマ収差の変動を補正している。開口絞りＳＰは第１６面に対応し、第２群Ｂ２と第３群Ｂ３の間に配置される。第３群Ｂ３は、第１７面から第２５面に対応し、両凸レンズ、物体側が凸面のメニスカス凹レンズ、両凸レンズ、物体側が凸面のメニスカス凹レンズと両凸レンズの接合レンズで構成される。また、第１７面、１８面は非球面形状で、主に変倍に伴う球面収差の変動を補正している。また、第２３面から第２５面に対応する接合正レンズは、光軸と直交する成分を有する方向に移動することで手振れなどによる振動を補正する機能を有する。第４群Ｂ４は、第２６面から第２８面に対応し、像側が凸面のメニスカス凸レンズと両凹の接合レンズで構成される。また、第４群Ｂ４は、無限遠側から至近側への合焦時に像側へ移動する合焦群である。第１の後レンズ群ＢＲ１は、第２９面から第３１面に対応し、両凸レンズと像側が凸面のメニスカス凹レンズの接合レンズで構成される。第２の後レンズ群ＢＲ２は、第３２面から第３３面に対応し、両凸レンズで構成される。本実施例の各条件式対応値を表１に示す。本実施例の各条件式対応値を表１に示す。本実施例は（１）〜（９）式を満足しており、全系の小型化を図りながら、広角且つ高ズーム比で、全ズーム範囲で高い光学性能を有するズームレンズを達成している。
【実施例４】
【００５６】
図７は本発明の実施例４（数値実施例４）であるズームレンズにおいて、広角端で無限遠に合焦しているときのレンズ断面図である。図８において、（ａ）は広角端、（ｂ）は焦点距離７３．０７ｍｍ、（ｃ）は望遠端の縦収差図を示している。いずれの収差図も、無限遠に合焦しているときの縦収差図である。図７において、物体側から像側へ順に、正の屈折力の第１群Ｂ１を有している。さらに、広角端から望遠端への変倍に際して、像側へ移動する変倍用の負の屈折力の第２群Ｂ２を有している。さらに、広角端から望遠端への変倍に際して、光軸上を非直線的に移動する変倍用の正の屈折力の第３群Ｂ３を有している。さらに、第２群と第３群の移動に連動して光軸上を非直線的に移動し、変倍に伴う像面変動を補正する負の屈折力の第４群Ｂ４を有している。さらに第４群は無限遠側から至近側への合焦時に像側へ移動する。さらに、変倍のためには移動しない結像作用を有する正の屈折力の後群ＢＲを有している。変倍に際して、隣接するレンズ群の間隔が変化するように構成されている。ＳＰは開口絞り、Ｉは像面である。
【００５７】
次に、本実施例における第１群Ｂ１について説明する。第１群Ｂ１は第１面から第５面に対応する。第１群Ｂ１は、物体側が凸面のメニスカス凹レンズと両凸レンズの接合レンズ、物体側が凸面のメニスカス凸レンズで構成される。第２群Ｂ２は、第６面から第１２面に対応し、物体側が凸面のメニスカス凹レンズ、両凹レンズと物体側が凸面のメニスカス凸レンズの接合レンズ、像側が凸面のメニスカス凹レンズで構成される。また、第７面は非球面形状で、主に広角側での像面湾曲を補正している。開口絞りＳＰは第１３面に対応し、第２群Ｂ２と第３群Ｂ３の間に配置される。第３群Ｂ３は、第１４面から第２２面に対応し、両凸レンズ、物体側が凸のメニスカス凹レンズ、両凸レンズ、両凸レンズと像側が凸面のメニスカス凹レンズの接合レンズで構成される。また、第１４面、１８面は非球面形状で、主に変倍に伴う球面収差の変動を補正している。また、第２０面から第２２面に対応する接合正レンズは、光軸と直交する成分を有する方向に移動することで手振れなどによる振動を補正する機能を有する。第４群Ｂ４は、第２３面から第２５面に対応し、像側が凸面のメニスカス凸レンズと両凹レンズの接合レンズで構成される。また、第２３面は非球面形状で、主にフォーカシングに伴う球面収差の変動を補正している。また、第４群Ｂ４は、無限遠側（図７中の実線）から至近側（図７中の破線）への合焦時に像側へ移動する合焦群である。後群ＢＲは、第２６面から第３０面に対応し、像側が凸面のメニスカス凸レンズ、両凸レンズと像側が凸面のメニスカス凹レンズの接合レンズで構成される。また、第２７面は非球面形状で、主に像面湾曲や周辺像高でのコマ収差を補正している。本実施例の各条件式対応値を表１に示す。本実施例の各条件式対応値を表１に示す。本実施例は（１）〜（９）式を満足しており、全系の小型化を図りながら、広角且つ高ズーム比で、全ズーム範囲で高い光学性能を有するズームレンズを達成している。
【実施例５】
【００５８】
図９は本発明の実施例５（数値実施例５）であるズームレンズにおいて、広角端で無限遠に合焦しているときのレンズ断面図である。図８において、（ａ）は広角端、（ｂ）は焦点距離５５．００ｍｍ、（ｃ）は望遠端の縦収差図を示している。いずれの収差図も、無限遠に合焦しているときの縦収差図である。図９において、物体側から像側へ順に、正の屈折力の第１群Ｂ１を有している。さらに、広角端から望遠端への変倍に際して、像側へ移動する変倍用の負の屈折力の第２群Ｂ２を有している。第２群Ｂ２は、移動量の異なる第２１レンズ群Ｂ２１、第２２レンズ群Ｂ２２の２つのレンズ群から構成される。さらに、広角端から望遠端への変倍に際して、光軸上を非直線的に移動する変倍用の正の屈折力の第３群Ｂ３を有している。第３群Ｂ３は、移動量の異なる第３１レンズ群Ｂ３１、第３２レンズ群Ｂ３２の２つのレンズ群から構成される。さらに、第２群と第３群の移動に連動して光軸上を非直線的に移動し、変倍に伴う像面変動を補正する負の屈折力の第４群Ｂ４を有している。さらに第４群は無限遠側（図９中の実線）から至近側（図９中の破線）への合焦時に像側へ移動する。さらに、変倍のためには移動しない結像作用を有する正の屈折力の後群ＢＲを有している。変倍に際して、隣接するレンズ群の間隔が変化するように構成されている。ＳＰは開口絞り、Ｉは像面である。
【００５９】
次に、本実施例における第１群Ｂ１について説明する。第１群Ｂ１は第１面から第７面に対応する。第１群Ｂ１は、物体側が凸面のメニスカス凹レンズと両凸レンズの接合レンズ、物体側が凸面のメニスカス凸レンズ、物体側が凸面のメニスカス凸レンズで構成される。第２群Ｂ２は、第８面から第１５面に対応し、第８面から第１３面に対応する第２１レンズ群Ｂ２１、第１４面から第１５面に対応する第２２レンズ群Ｂ２２の２つのレンズ群から構成される。第２１レンズ群Ｂ２１は、両凹レンズ、物体側が凸面のメニスカス凹レンズ、両凹レンズで構成される。また、第１０面、第１１面は非球面形状で、主に広角側での像面湾曲を補正している。第２２レンズ群Ｂ２２は、両凸レンズで構成される。第２１レンズ群Ｂ２１と第２２レンズ群Ｂ２２はズーム中間にて間隔を変化させることで、ズーミング中の像面湾曲の変動を補正している。開口絞りＳＰは第１６面に対応し、第２群Ｂ２と第３群Ｂ３の間に配置される。第３群Ｂ３は、第１７面から第２５面に対応し、第１７面から第２２面に対応する第３１レンズ群Ｂ３１、第２３面から第２５面に対応する第３２レンズ群Ｂ３２の２つのレンズ群から構成される。第３１レンズ群Ｂ３１は、両凸レンズ、物体側が凸面のメニスカス凹レンズ、両凸レンズで構成される。第３２レンズ群Ｂ３２は、物体側が凸面のメニスカス凹レンズと物体側が凸面のメニスカス凸レンズの接合レンズで構成される。第３１レンズ群Ｂ３１と第３２レンズ群Ｂ３２はズーム中間にて間隔を変化させることで、ズーミング中の球面収差とコマ収差の変動を補正している。第１７面、第１８面は非球面形状で、主に変倍に伴う球面収差の変動を補正している。第４群Ｂ４は、第２６面から第２８面に対応し、両凸レンズと両凹レンズの接合レンズで構成される。後群ＢＲは、第２９面から第３３面に対応し、両凸レンズと像側が凸面のメニスカス凹レンズの接合と、両凸レンズで構成される。本実施例の各条件式対応値を表１に示す。本実施例の各条件式対応値を表１に示す。本実施例は（１）〜（９）式を満足しており、全系の小型化を図りながら、広角且つ高ズーム比で、全ズーム範囲で高い光学性能を有するズームレンズを達成している。
【実施例６】
【００６０】
図１１は本発明の実施例６（数値実施例６）であるズームレンズにおいて、広角端で無限遠に合焦しているときのレンズ断面図である。図１２において、（ａ）は広角端、（ｂ）は焦点距離４５．６０ｍｍ、（ｃ）は望遠端の縦収差図を示している。いずれの収差図も、無限遠に合焦しているときの縦収差図である。図１１において、物体側から像側へ順に、正の屈折力の第１群Ｂ１を有している。さらに、広角端から望遠端への変倍に際して、像側へ移動する変倍用の負の屈折力の第２群Ｂ２を有している。第２群Ｂ２は、移動量の異なる第２１レンズ群Ｂ２１、第２２レンズ群Ｂ２２の２つのレンズ群から構成される。さらに、広角端から望遠端への変倍に際して、光軸上を非直線的に移動する変倍用の正の屈折力の第３群Ｂ３を有している。第３群Ｂ３は、ズーミング中は固定の第３１レンズ群Ｂ３１、ズーミング中に移動する第３２レンズ群Ｂ３２の２つのレンズ群から構成される。さらに、第２群と第３群の移動に連動して光軸上を非直線的に移動し、変倍に伴う像面変動を補正する負の屈折力の第４群Ｂ４を有している。さらに第４群は無限遠側（図１１中の実線）から至近側（図１１中の破線）への合焦時に像側へ移動する。さらに、変倍のためには移動しない結像作用を有する正の屈折力の後群ＢＲを有している。変倍に際して、隣接するレンズ群の間隔が変化するように構成されている。ＳＰは開口絞り、Ｉは像面である。
【００６１】
次に、本実施例における第１群Ｂ１について説明する。第１群Ｂ１は第１面から第７面に対応する。第１群Ｂ１は、物体側が凸面のメニスカス凹レンズと両凸レンズの接合レンズ、物体側が凸面のメニスカス凸レンズ、物体側が凸面のメニスカス凸レンズで構成される。第２群Ｂ２は、第８面から第１５面に対応し、第８面から第１３面に対応する第２１レンズ群Ｂ２１、第１４面から第１５面に対応する第２２レンズ群Ｂ２２の２つのレンズ群から構成される。第２１レンズ群Ｂ２１は、物体側が凸面のメニスカス凹レンズ、物体側が凸面のメニスカス凹レンズ、像側が凸面のメニスカス凹レンズで構成される。また、第１０面、第１１面は非球面形状で、主に広角側での像面湾曲を補正している。第２２レンズ群Ｂ２２は、両凸レンズで構成される。第２１レンズ群Ｂ２１と第２２レンズ群Ｂ２２はズーム中間にて間隔を変化させることで、ズーミング中の像面湾曲の変動を補正している。開口絞りＳＰは第１６面に対応し、第２群Ｂ２と第３群Ｂ３の間に配置される。第３群Ｂ３は、第１７面から第２５面に対応し、第１７面から第１８面に対応する第３１レンズ群Ｂ３１、第１９面から第２５面に対応する第３２レンズ群Ｂ３２のレンズ群から構成される。第３１レンズ群Ｂ３１は、両凸レンズで構成される。第３２レンズ群Ｂ３２は、両凸レンズ、物体側が凸面のメニスカス凹レンズと両凸レンズの接合レンズ、両凸レンズで構成される。固定で正の屈折力の第３１レンズ群Ｂ３１を配置することで、第３２レンズ群Ｂ３２に入射する光線高さを小さくすることができ、第３２レンズ群Ｂ３２の有効径を小さくできる。そのため、第３２レンズ群Ｂ３２を駆動するためのトルク低減や、ズーミング中の収差補正に有利な構成となる。第１９面、第２０面は非球面形状で、主に変倍に伴う球面収差の変動を補正している。第４群Ｂ４は、第２６面から第２８面に対応し、像側が凸のメニスカス凸レンズと両凹レンズの接合レンズで構成される。後群ＢＲは、第２９面から第３３面に対応し、物体側が凸面のメニスカス凹レンズと両凸レンズの接合レンズと、両凸レンズで構成される。本実施例の各条件式対応値を表１に示す。本実施例の各条件式対応値を表１に示す。本実施例は（１）〜（９）式を満足しており、全系の小型化を図りながら、広角且つ高ズーム比で、全ズーム範囲で高い光学性能を有するズームレンズを達成している。
【実施例７】
【００６２】
図１３は本発明の実施例７（数値実施例７）であるズームレンズにおいて、広角端で無限遠に合焦しているときのレンズ断面図である。図１４において、（ａ）は広角端、（ｂ）は焦点距離５１．１７ｍｍ、（ｃ）は望遠端の縦収差図を示している。いずれの収差図も、無限遠に合焦しているときの縦収差図である。図１３において、物体側から像側へ順に、正の屈折力の第１群Ｂ１、広角端から望遠端への変倍に際して、像側へ移動する変倍用の負の屈折力の第２群Ｂ２を有している。第２群Ｂ２は、移動量の異なる第２１レンズ群Ｂ２１、第２２レンズ群Ｂ２２の２つのレンズ群から構成される。さらに、広角端から望遠端への変倍に際して、光軸上を非直線的に移動する変倍用の正の屈折力の第３群Ｂ３を有している。さらに、第２群と第３群の移動に連動して光軸上を非直線的に移動し、変倍に伴う像面変動を補正する負の屈折力の第４群Ｂ４を有している。さらに第４群は無限遠側（図１３中の実線）から至近側（図１３中の破線）への合焦時に像側へ移動する。さらに、変倍のためには移動しない結像作用を有する正の屈折力の後群ＢＲを有している。変倍に際して、隣接するレンズ群の間隔が変化するように構成されている。ＳＰは開口絞り、Ｉは像面である。
【００６３】
次に、本実施例における第１群Ｂ１について説明する。第１群Ｂ１は第１面から第７面に対応する。第１群Ｂ１は、物体側が凸面のメニスカス凹レンズと両凸レンズの接合レンズ、物体側が凸面のメニスカス凸レンズ、物体側が凸面のメニスカス凸レンズで構成される。第２群Ｂ２は、第８面から第１５面に対応し、第８面から第９面に対応する第２１レンズ群Ｂ２１、第１０面から第１５面に対応する第２２レンズ群Ｂ２２の２つのレンズ群に分かれる。第２１レンズ群Ｂ２１は、両凹レンズで構成される。第２２レンズ群Ｂ２２は、両凹レンズ、像側が凸面のメニスカス凹レンズ、両凸レンズで構成される。また、第１０面、第１１面は非球面形状で、主に広角側での像面湾曲を補正している。第２１レンズ群Ｂ２１と第２２レンズ群Ｂ２２はズーム中間にて間隔を変化させることで、ズーミング中の像面湾曲の変動を補正している。開口絞りＳＰは第１６面に対応し、第２群Ｂ２と第３群Ｂ３の間に配置される。第３群Ｂ３は、第１７面から第２５面に対応する。第３群Ｂ３は、両凸レンズ、両凹レンズ、両凸レンズ、物体側が凸面のメニスカス凹レンズと両凸レンズの接合レンズで構成される。第１７面、第１８面は非球面形状で、主に変倍に伴う球面収差の変動を補正している。第４群Ｂ４は、第２６面から第２８面に対応し、像側が凸面のメニスカス凸レンズと両凹レンズの接合レンズで構成される。後群ＢＲは、第２９面から第３３面に対応し、両凸レンズと像側が凸面のメニスカス凹レンズの接合レンズと、両凸レンズで構成される。本実施例の各条件式対応値を表１に示す。本実施例の各条件式対応値を表１に示す。本実施例は（１）〜（９）式を満足しており、全系の小型化を図りながら、広角且つ高ズーム比で、全ズーム範囲で高い光学性能を有するズームレンズを達成している。
【実施例８】
【００６４】
図１５は本発明の実施例８（数値実施例８）であるズームレンズにおいて、広角端で無限遠に合焦しているときのレンズ断面図である。図１６において、（ａ）は広角端、（ｂ）は焦点距離５１．６７ｍｍ、（ｃ）は望遠端の縦収差図を示している。いずれの収差図も、無限遠に合焦しているときの縦収差図である。図１５において、物体側から像側へ順に、正の屈折力の第１群Ｂ１、広角端から望遠端への変倍に際して、像側へ移動する変倍用の負の屈折力の第２群Ｂ２を有している。第２群Ｂ２は、移動量の異なる第２１レンズ群Ｂ２１、第２２レンズ群Ｂ２２の２つのレンズ群から構成される。さらに、広角端から望遠端への変倍に際して、光軸上を非直線的に移動する変倍用の正の屈折力の第３群Ｂ３を有している。さらに、第２群と第３群の移動に連動して光軸上を非直線的に移動し、変倍に伴う像面変動を補正する負の屈折力の第４群Ｂ４を有している。さらに第４群は無限遠側（図１５中の実線）から至近側（図１５中の破線）への合焦時に像側へ移動する。さらに、変倍のためには移動しない結像作用を有する正の屈折力の後群ＢＲを有している。変倍に際して、隣接するレンズ群の間隔が変化するように構成されている。ＳＰは開口絞り、Ｉは像面である。
【００６５】
次に、本実施例における第１群Ｂ１について説明する。第１群Ｂ１は第１面から第７面に対応する。第１群Ｂ１は、物体側が凸面のメニスカス凹レンズと両凸レンズの接合レンズ、物体側が凸面のメニスカス凸レンズ、物体側が凸面のメニスカス凸レンズで構成される。第２群Ｂ２は、第８面から第１５面に対応し、第８面から第９面に対応する第２１レンズ群Ｂ２１、第１０面から第１５面に対応する第２２レンズ群Ｂ２２の２つのレンズ群から構成される。第２１レンズ群Ｂ２１は、両凹レンズで構成される。第２２レンズ群Ｂ２２は、両凹レンズ、像側が凸面のメニスカス凹レンズ、両凸レンズで構成される。また、第１０面、第１１面は非球面形状で、主に広角側での像面湾曲を補正している。第２１レンズ群Ｂ２１と第２２レンズ群Ｂ２２はズーム中間にて間隔を変化させることで、ズーミング中の像面湾曲の変動を補正している。開口絞りＳＰは第１６面に対応し、第２群Ｂ２と第３群Ｂ３の間に配置される。第３群Ｂ３は、第１７面から第２５面に対応し、両凸レンズ、両凹レンズ、両凸レンズ、物体側が凸面のメニスカス凹レンズと両凸レンズの接合レンズで構成される。第１７面、第１８面は非球面形状で、主に変倍に伴う球面収差の変動を補正している。第４群Ｂ４は、第２６面から第２８面に対応し、像側が凸面のメニスカス凸レンズと両凹レンズの接合レンズで構成される。後群ＢＲは、第２９面から第３３面に対応し、両凸レンズと像側が凸面のメニスカス凹レンズの接合レンズと、両凸レンズで構成される。本実施例の各条件式対応値を表１に示す。本実施例の各条件式対応値を表１に示す。本実施例は（１）〜（９）式を満足しており、全系の小型化を図りながら、広角且つ高ズーム比で、全ズーム範囲で高い光学性能を有するズームレンズを達成している。
【実施例９】
【００６６】
図１７は本発明の実施例９（数値実施例９）であるズームレンズにおいて、広角端で無限遠に合焦しているときのレンズ断面図である。図１８において、（ａ）は広角端、（ｂ）は焦点距離４７．８６ｍｍ、（ｃ）は望遠端の縦収差図を示している。いずれの収差図も、無限遠に合焦しているときの縦収差図である。図１７において、物体側から像側へ順に、正の屈折力の第１群Ｂ１を有している。さらに、広角端から望遠端への変倍に際して、像側へ移動する変倍用の負の屈折力の第２群Ｂ２を有している。第２群Ｂ２は、移動量の異なる第２１レンズ群Ｂ２１、第２２レンズ群Ｂ２２の２つのレンズ群から構成される。さらに、広角端から望遠端への変倍に際して、光軸上を非直線的に移動する変倍用の正の屈折力の第３群Ｂ３を有している。さらに、第２群と第３群の移動に連動して光軸上を非直線的に移動し、変倍に伴う像面変動を補正する負の屈折力の第４群Ｂ４を有している。さらに第４群は無限遠側（図１７中の実線）から至近側（図１７中の破線）への合焦時に像側へ移動する。さらに、変倍のためには移動しない結像作用を有する正の屈折力の後群ＢＲを有している。変倍に際して、隣接するレンズ群の間隔が変化するように構成されている。ＳＰは開口絞り、Ｉは像面である。
【００６７】
次に、本実施例における第１群Ｂ１について説明する。第１群Ｂ１は第１面から第７面に対応する。第１群Ｂ１は、物体側が凸面のメニスカス凹レンズと両凸レンズの接合レンズ、物体側が凸面のメニスカス凸レンズ、物体側が凸面のメニスカス凸レンズで構成される。第２群Ｂ２は、第８面から第１５面に対応し、第８面から第９面に対応する第２１レンズ群Ｂ２１、第１０面から第１５面に対応する第２２レンズ群Ｂ２２の２つのレンズ群から構成される。第２１レンズ群Ｂ２１は、両凹レンズで構成される。第２２レンズ群Ｂ２２は、両凹レンズ、両凹レンズ、両凸レンズで構成される。また、第１０面、第１１面は非球面形状で、主に広角側での像面湾曲を補正している。第２１レンズ群Ｂ２１と第２２レンズ群Ｂ２２はズーム中間にて間隔を変化させることで、ズーミング中の像面湾曲の変動を補正している。開口絞りＳＰは第１６面に対応し、第２群Ｂ２と第３群Ｂ３の間に配置される。第３群Ｂ３は、第１７面から第２５面に対応する。第３群Ｂ３は、両凸レンズ、両凹レンズ、両凸レンズ、物体側が凸面のメニスカス凹レンズと両凸レンズの接合レンズで構成される。第１７面、第１８面は非球面形状で、主に変倍に伴う球面収差の変動を補正している。第４群Ｂ４は、第２６面から第２８面に対応し、像側が凸面のメニスカス凸レンズと両凹レンズの接合レンズで構成される。後群ＢＲは、第２９面から第３３面に対応し、両凸レンズと像側が凸面のメニスカス凹レンズの接合と、両凸レンズで構成される。本実施例の各条件式対応値を表１に示す。本実施例の各条件式対応値を表１に示す。本実施例は（１）〜（９）式を満足しており、全系の小型化を図りながら、広角且つ高ズーム比で、全ズーム範囲で高い光学性能を有するズームレンズを達成している。
【００６８】
（数値実施例１）
単位 mm
面データ
面番号i      ri       di     ndi        vdi
1        203.590    1.73   1.91650    31.6           
2         46.073    6.23   1.49700    81.5           
3       -338.931    0.15                             
4         65.676    2.89   1.49700    81.5           
5        423.518    0.13                             
6         45.557    3.60   1.76385    48.5           
7        352.111  (可変)                             
8       -345.383    0.86   1.83481    42.7           
9         11.919    4.70                             
10*       -58.675    0.95   1.58313    59.5           
11*        26.335    2.97                             
12        -17.543    0.80   1.49700    81.5           
13        -47.435    0.11                             
14         79.462    1.78   1.92286    18.9           
15        -64.072  (可変)                             
16(絞り)    ∞     (可変)                             
17*        17.378    4.55   1.58313    59.5           
18*       -59.245    3.92                             
19       -214.092    0.70   1.83400    37.2           
20         19.622    0.45                             
21         26.986    3.49   1.43700    95.1           
22        -27.056    1.56                             
23         18.009    0.58   1.95375    32.3           
24         12.939    3.98   1.48749    70.2           
25        -71.491  (可変)                             
26       -265.768    1.62   1.84666    23.9           
27        -18.099    0.58   1.78590    44.2           
28         18.282  (可変)                             
29         87.178    4.77   1.48749    70.2           
30        -16.724    0.77   2.00069    25.5           
31        -33.542    0.17                             
32         39.050    4.13   1.48749    70.2           
33        -31.888  (可変)                             
34          ∞       1.44   1.51633    64.1           
35          ∞     (可変)                             
像面        ∞   
非球面データ
第10面
K = 0.00000e+000  A 4=-3.18873e-005  A 6=-3.42311e-007  A 8= 1.67887e-009  
第11面
K = 0.00000e+000  A 4=-6.53597e-005  A 6=-2.82787e-007  A 8= 1.83322e-009  
第17面
K = 0.00000e+000  A 4=-1.69513e-005  A 6=-1.67145e-008  A 8=-1.47643e-010  
第18面
K = 0.00000e+000  A 4= 2.01188e-005  A 6=-3.66026e-008  A 8= 3.38763e-011  
各種データ
ズーム比     14.55 
広角     中間     望遠
焦点距離       8.55    50.26   124.40  
Fナンバー      2.85     4.10     4.60  
半画角        37.02     8.39     3.41  
像高           6.45     7.41     7.41  
レンズ全長   139.31   139.31   139.31  
BF            14.02    14.02    14.02  
d 7            1.12    24.36    34.32  
d15           34.47    11.23     1.27  
d16           14.88     0.98     0.96  
d25            1.85    13.96    15.98  
d28           14.82    16.60    14.60  
d33            6.19     6.19     6.19  
d35            6.87     6.87     6.87  
ズームレンズ群データ
群  始面    焦点距離  
1    1      54.94  
2    8     -10.29  
sp  16       ∞    
3   17      21.84  
4   26     -23.30  
R   29      31.44  
【００６９】
（数値実施例２）
単位 mm
面データ
面番号i      ri       di     ndi        vdi
1        628.518    1.71   1.90366    31.3           
2         62.741    1.00                             
3         63.212    7.46   1.49700    81.5           
4       -170.632    0.15                             
5         67.586    4.64   1.53775    74.7           
6       7465.192    0.15                             
7         53.915    3.91   1.76385    48.5           
8        163.850  (可変)                             
9      11891.795    0.89   1.85135    40.1           
10*        11.946    7.12                             
11        -17.253    0.68   1.59522    67.7           
12         64.849    0.14                             
13         42.108    2.71   1.92286    18.9           
14        -89.121  (可変)                             
15(絞り)    ∞     (可変)                             
16*        14.380    4.80   1.58313    59.4           
17*       -71.741    2.38                             
18         69.289    0.89   1.83400    37.2           
19         13.817    0.91                             
20         23.568    3.16   1.49700    81.5           
21        -95.858    6.51                             
22         25.709    3.72   1.59522    67.7           
23        -16.166    0.60   1.69895    30.1           
24        -51.871  (可変)                             
25       -147.095    2.11   1.95906    17.5           
26        -20.213    0.85   1.83400    37.2           
27         14.670  (可変)                             
28         50.676    0.76   1.80809    22.8           
29         17.046    3.77   1.60342    38.0           
30        111.069    0.10                             
31         20.508    5.08   1.49700    81.5           
32        -34.358  (可変)                             
33          ∞       2.00   1.51633    64.1           
34          ∞     (可変)                             
像面        ∞   
非球面データ
第10面
K =-5.27323e-001  A 4= 1.30485e-005  A 6= 5.15930e-008  A 8= 2.88029e-009  A10=-2.93057e-011  A12= 2.02915e-013  
第16面
K =-8.18409e-002  A 4=-2.12687e-005  A 6=-8.02485e-008  A 8= 3.27136e-010  A10=-5.43347e-012  A12=-2.05658e-014  
第17面
K =-2.56428e+001  A 4= 9.78783e-006  A 6=-5.78943e-008  A 8= 8.16150e-010  A10=-8.99064e-012  A12= 6.39737e-015  
各種データ
ズーム比     20.00 
広角     中間     望遠
焦点距離       8.50    54.45   170.00  
Fナンバー      2.70     3.96     4.50  
半画角        37.14     7.74     2.49  
像高           6.44     7.40     7.40  
レンズ全長   144.32   144.32   144.32  
BF            11.37    11.37    11.37  
d 8            1.03    30.59    43.25  
d14           43.57    14.02     1.35  
d15           13.28     0.91     0.79  
d24            2.11    10.84     6.13  
d27            6.79    10.42    15.25  
d32            7.00     7.00     7.00  
d34            3.05     3.05     3.05  
ズームレンズ群データ
群  始面    焦点距離  
1    1      62.18  
2    9     -11.76  
SP   15       ∞    
3   16      22.57  
4   25     -17.38  
R   28      28.05  
【００７０】
（数値実施例３）
単位 mm
面データ
面番号i      ri       di     ndi        vdi
1        129.873    1.62   1.91650    31.6           
2         40.556    7.14   1.49700    81.5           
3      -4541.873    0.17                             
4         50.167    3.92   1.49700    81.5           
5        379.118    0.17                             
6         43.475    3.67   1.76385    48.5           
7        229.615  (可変)                             
8        344.738    0.80   1.83481    42.7           
9         11.000    4.20                             
10*     -1131.597    0.61   1.58313    59.5           
11*        27.191    3.45                             
12        -13.399    0.60   1.43700    95.1           
13        -90.092    0.14                             
14         89.207    1.90   1.92286    18.9           
15        -61.798  (可変)                             
16(絞り)    ∞     (可変)                             
17*        16.682    4.32   1.58313    59.4           
18*       -65.999    3.47                             
19        838.885    0.63   1.83400    37.2           
20         19.683    0.75                             
21         29.127    3.80   1.43700    95.1           
22        -23.217    0.39                             
23         19.352    0.60   1.95375    32.3           
24         13.784    3.84   1.48749    70.2           
25        -84.151  (可変)                             
26       -296.190    1.24   1.84666    23.9           
27        -20.957    0.82   1.78590    44.2           
28         18.696  (可変)                             
29         47.411    4.05   1.48749    70.2           
30        -18.173    0.73   2.00069    25.5           
31        -42.420  (可変)                             
32         62.639    3.24   1.48749    70.2           
33        -28.992  (可変)                             
34          ∞       1.80   1.51633    64.1           
35          ∞     (可変)                             
像面        ∞   
非球面データ
第10面
K = 1.94946e+004  A 4=-1.32896e-005  A 6=-6.43513e-007  A 8= 6.18406e-010  
第11面
K = 8.95614e-001  A 4=-5.29842e-005  A 6=-8.12556e-007  A 8= 1.95377e-009  
第17面
K =-1.04648e+000  A 4= 8.71995e-006  A 6= 3.45366e-008  A 8= 1.02665e-010  
第18面
K =-4.40946e+001  A 4= 9.89401e-006  A 6= 5.73134e-008  A 8=-2.15226e-010  
各種データ
ズーム比     12.00 
広角     中間     望遠
焦点距離       8.30    44.51    99.60  
Fナンバー      2.50     3.27     3.60  
半画角        37.84     9.45     4.25  
像高           6.45     7.41     7.41  
レンズ全長   126.70   126.70   126.70  
BF            14.77    14.77    14.77  
d 7            0.62    21.11    29.89  
d15           30.65    10.16     1.38  
d16           12.42     1.34     2.52  
d25            1.58    11.49    11.18  
d28            9.90     8.93    10.19  
d31            0.48     2.62     0.49  
d33            6.59     6.59     6.59  
d35            6.99     6.99     6.99  
ズームレンズ群データ
群  始面    焦点距離  
1    1      50.34  
2    8      -9.76  
sp  16       ∞    
3   17      20.11  
4   26     -23.77  
R1  29     169.15  
R2  32      41.13  
【００７１】
（数値実施例４）
単位 mm
面データ
面番号i      ri       di     ndi        vdi
1        116.966    1.50   1.91650    31.6           
2         48.440    6.88   1.59522    67.7           
3       -349.456    0.16                             
4         46.108    4.78   1.59522    67.7           
5        330.108  (可変)                             
6         41.904    1.00   1.85135    40.1           
7*        15.010    4.91                             
8        -27.537    0.75   1.59522    67.7           
9         19.154    2.80   1.95906    17.5           
10         53.022    2.60                             
11        -18.512    0.70   1.69680    55.5           
12        -36.450  (可変)                             
13(絞り)    ∞     (可変)                             
14*        16.949    4.64   1.59349    67.0           
15       -118.473    3.51                             
16         75.509    1.00   1.73800    32.3           
17         16.049    1.01                             
18*        18.064    3.04   1.59349    67.0           
19        -79.933    0.31                             
20         34.055    2.96   1.49700    81.5           
21        -16.710    0.94   1.65412    39.7           
22        -36.147  (可変)                             
23*      -403.662    2.20   1.95906    17.5           
24        -30.092    0.70   1.88300    40.8           
25         14.513  (可変)                             
26        -74.834    2.20   1.43875    94.9           
27*       -52.445    0.19                             
28         16.043    6.09   1.43875    94.9           
29        -42.115    0.74   1.89286    20.4           
30        -56.899  (可変)                             
31          ∞       2.35   1.51633    64.1           
32          ∞     (可変)                             
像面        ∞   
非球面データ
第7面
K = 2.46057e-001  A 4=-4.69144e-006  A 6=-4.51637e-008  A 8= 6.16198e-010  
第14面
K =-3.56247e-001  A 4=-8.83698e-006  A 6=-5.57216e-008  A 8= 1.08274e-010  
第18面
K = 7.36590e-001  A 4=-5.33833e-005  A 6=-7.60453e-009  A 8=-3.80882e-010  
第23面
K =-5.18031e+002  A 4= 1.09452e-005  A 6=-7.23986e-008  A 8= 5.22786e-010  
第27面
K = 1.38843e+001  A 4= 2.42121e-005  A 6=-7.83006e-008  A 8= 7.86833e-010  
各種データ
ズーム比     12.00 
広角     中間     望遠
焦点距離      10.00    73.07   120.00  
Fナンバー      2.80     4.36     4.50  
半画角        32.17     5.78     3.53  
像高           6.29     7.40     7.40  
レンズ全長   134.79   134.79   134.79  
BF             9.98     9.98     9.98  
d 5            0.86    33.68    39.70  
d12           40.38     7.56     1.54  
d13           10.39     2.10     1.88  
d22            1.35    10.36    12.18  
d25           16.22    15.49    13.89  
d30            5.00     5.00     5.00  
d32            3.43     3.43     3.43  
ズームレンズ群データ
群  始面    焦点距離  
1    1      71.50  
2    6     -11.63  
sp  13       ∞    
3   14      18.13  
4   23     -16.44  
R   26      29.11  
【００７２】
（数値実施例５）
単位 mm
面データ
面番号i      ri       di     ndi        vdi
1        113.294    1.62   1.90366    31.3           
2         47.534    6.94   1.43875    94.9           
3       -379.596    0.17                             
4         47.353    3.47   1.49700    81.5           
5        147.758    0.17                             
6         64.779    2.50   1.81600    46.6           
7        239.700  (可変)                             
8       -679.065    0.90   1.88300    40.8           
9         13.196    4.44                             
10*      1398.192    1.00   1.58313    59.4           
11*        45.625    3.21                             
12        -16.786    0.60   1.43875    94.9           
13        171.843  (可変)                             
14         91.324    2.42   1.92286    18.9           
15        -68.622  (可変)                             
16(絞り)    ∞     (可変)                             
17*        16.709    4.50   1.61800    63.3           
18*      -117.345    4.54                             
19        218.578    0.63   1.88300    40.8           
20         16.108    0.67                             
21         20.453    3.80   1.43875    94.9           
22        -25.105  (可変)                             
23         16.700    0.60   1.95375    32.3           
24         13.042    2.34   1.48749    70.2           
25        101.262  (可変)                             
26        412.526    1.69   1.80809    22.8           
27        -25.070    0.82   1.80440    39.6           
28         16.975  (可変)                             
29         75.103    3.57   1.48749    70.2           
30        -25.288    0.73   2.00069    25.5           
31        -50.092    0.17                             
32         33.179    4.03   1.48749    70.2           
33        -37.573  (可変)                             
34          ∞       1.80   1.51633    64.1           
35          ∞     (可変)                             
像面        ∞   
非球面データ
第10面
K =-1.29802e+004  A 4=-1.94184e-005  A 6=-4.52184e-007  A 8= 2.68202e-009  
第11面
K = 3.92504e+000  A 4=-5.17436e-005  A 6=-4.94444e-007  A 8= 2.85052e-009  
第17面
K =-1.29155e+000  A 4= 2.45980e-005  A 6= 1.39905e-008  A 8= 2.36716e-010  
第18面
K =-1.57864e+002  A 4= 9.94581e-006  A 6= 2.50437e-008  A 8=-2.04376e-011  
各種データ
ズーム比     20.00 
広角     中間     望遠
焦点距離       8.30    55.00   166.00  
Fナンバー      2.70     4.80     5.60  
半画角        37.84     7.67     2.56  
像高           6.45     7.41     7.41  
レンズ全長   149.39   149.39   149.39  
BF            13.43    13.43    13.43
d 7            0.90    28.55    40.40  
d13            0.72     0.39     0.75  
d15           40.43    13.11     0.90  
d16           20.51     2.62     0.50  
d22            3.18     6.32     0.19  
d25            2.08    15.14    18.63  
d28           12.60    14.28    19.06  
d33            4.97     4.97     4.97  
d35            7.27     7.27     7.27  
ズームレンズ群データ(広角端状態)
群  始面    焦点距離  
1    1      63.63  
2    8     -11.37    
sp  16       ∞    
3   17      23.66  
4   26     -22.15  
R   29      30.40  
【００７３】
（数値実施例６）
単位 mm
面データ
面番号i      ri       di     ndi        vdi
1        112.928    1.62   2.00330    28.3           
2         51.708    9.43   1.49700    81.5           
3      -1538.589    0.17                             
4         56.271    4.84   1.49700    81.5           
5        204.533    0.17                             
6         55.495    3.81   1.76385    48.5           
7        229.615  (可変)                             
8       1072.212    0.80   1.88300    40.8           
9         12.839    3.49                             
10*      8802.672    1.20   1.59522    67.7           
11*        39.328    3.17                             
12        -16.089    0.60   1.59522    67.7           
13       -298.012  (可変)                             
14        125.068    1.59   1.92286    18.9           
15        -68.622  (可変)                             
16(絞り)    ∞       1.00                             
17        200.000    2.00   1.77250    49.6           
18       -200.000  (可変)                             
19*        17.029    4.72   1.58313    59.4           
20*      -132.441    4.23                             
21        124.990    0.63   1.83400    37.2           
22         12.756    5.55   1.43700    95.1           
23        -31.824    0.57                             
24         29.028    2.00   1.61800    63.3           
25       -285.945  (可変)                             
26      -1421.717    1.82   1.84666    23.9           
27        -31.217    0.82   1.78590    44.2           
28         16.605  (可変)                             
29         98.806    0.70   2.00069    25.5           
30         22.514    3.51   1.48749    70.2           
31        -69.070    0.17                             
32         20.267    4.48   1.48749    70.2           
33        -43.325  (可変)                             
34          ∞       1.80   1.51633    64.1           
35          ∞       7.17                             
36          ∞     (可変)                             
像面        ∞   
非球面データ
第10面
K = 5.88791e+005  A 4= 1.02511e-004  A 6=-1.45501e-006  A 8= 7.96028e-009  
第11面
K = 1.17893e+001  A 4= 6.36708e-005  A 6=-1.67337e-006  A 8= 8.77880e-009  
第19面
K =-1.50523e+000  A 4= 3.08137e-005  A 6= 2.01178e-008  A 8= 1.64397e-010  
第20面
K =-2.41758e+002  A 4= 1.01897e-005  A 6= 3.99992e-008  A 8=-1.48204e-010  
各種データ
ズーム比     15.00 
広角     中間     望遠
焦点距離       8.40    45.60   126.00  
Fナンバー      2.80     3.64     4.00  
半画角        37.50     9.23     3.37  
像高           6.45     7.41     7.41  
レンズ全長   144.46   144.46   144.46  
BF            12.37    12.37    12.37  
d 7            0.61    26.92    38.20  
d13            1.54     1.03     2.18  
d15           39.32    13.52     1.10  
d18           12.91     0.93     0.43  
d25            1.90    10.26    12.48  
d28           12.70    16.33    14.61  
d33            3.96     3.96     3.96  
d36            0.06     0.06     0.06  
ズームレンズ群データ(広角端状態)
群  始面    焦点距離  
1    1      61.70  
2    8      -9.78    
SP  16       ∞  
3   17      22.27  
4   26     -21.75  
R   29      33.05  
【００７４】
（数値実施例７）
単位 mm
面データ
面番号i      ri       di     ndi        vdi
1        240.713    1.73   1.91650    31.6           
2         48.058    6.58   1.49700    81.5           
3       -246.255    0.15                             
4         64.354    2.96   1.49700    81.5           
5        469.898    0.13                             
6         45.952    3.46   1.76385    48.5           
7        309.726  (可変)                             
8       -342.040    0.86   1.83481    42.7           
9         12.458  (可変)                             
10*       -50.637    0.95   1.58313    59.4           
11*        22.440    3.26                             
12        -16.993    0.80   1.43875    94.9           
13        -39.770    0.20                             
14         77.241    1.66   1.92286    18.9           
15        -71.793  (可変)                             
16(絞り)    ∞     (可変)                             
17*        18.102    5.20   1.58313    59.4           
18*       -74.367    3.77                             
19       -234.951    0.70   1.83400    37.2           
20         21.418    0.50                             
21         31.249    3.24   1.43875    94.9           
22        -27.334  (可変)                             
23         19.127    0.58   1.95375    32.3           
24         13.665    4.37   1.48749    70.2           
25        -68.800  (可変)                             
26       -183.788    2.07   1.84666    23.8           
27        -18.352    0.58   1.78590    44.2           
28         21.968  (可変)                             
29         85.026    4.86   1.48749    70.2           
30        -16.784    0.77   2.00069    25.5           
31        -35.612    0.17                             
32         35.250    4.10   1.48749    70.2           
33        -36.010  (可変)                             
34          ∞       1.50   1.51633    64.1           
35          ∞     (可変)                             
像面        ∞   
非球面データ
第10面
K = 0.00000e+000  A 4=-5.53243e-005  A 6= 1.26334e-007  A 8=-2.77480e-010  
第11面
K = 0.00000e+000  A 4=-9.06653e-005  A 6= 2.16446e-007  A 8=-2.42033e-010  
第17面
K = 0.00000e+000  A 4=-1.19873e-005  A 6=-4.62399e-008  A 8= 1.65891e-010  
第18面
K = 0.00000e+000  A 4= 1.98778e-005  A 6=-6.34399e-008  A 8= 3.26625e-010  
各種データ
ズーム比     14.55 
広角     中間     望遠
焦点距離       8.55    51.17   124.40  
Fナンバー      2.85     4.10     4.60  
半画角        37.02     8.24     3.41  
像高           6.45     7.41     7.41  
レンズ全長   143.16   143.16   143.16  
BF            14.24    14.24    14.24  
d 7            1.19    24.42    34.37  
d 9            4.63     4.10     4.58  
d15           34.47    11.78     1.33  
d16           15.44     0.96     1.60  
d22            0.80     0.80     0.80  
d25            1.89    15.28    16.61  
d28           16.85    17.94    15.97  
d33            6.42     6.42     6.42  
d35            6.84     6.84     6.84  
ズームレンズ群データ(広角端状態)
群  始面    焦点距離  
1    1      54.55  
2    8     -10.27    
SP  16       ∞    
3   17      22.66    
4   26     -26.84  
R   29      33.32  
【００７５】
（数値実施例８）
単位 mm
面データ
面番号i      ri       di     ndi        vdi
1        239.441    1.73   1.91650    31.6           
2         47.515    6.63   1.49700    81.5           
3       -331.665    0.15                             
4         63.043    3.30   1.49700    81.5           
5       1937.835    0.13                             
6         45.623    3.48   1.76385    48.5           
7        306.587  (可変)                             
8       -144.621    0.86   1.83481    42.7           
9         13.998  (可変)                             
10*       -31.968    0.95   1.58313    59.4           
11*        22.771    2.94                             
12        -20.484    0.80   1.43875    94.9           
13        -41.458    0.11                             
14         69.440    1.69   1.92286    18.9           
15        -77.197  (可変)                             
16(絞り)    ∞     (可変)                             
17*        18.267    4.44   1.58313    59.4           
18*       -84.629    3.85                             
19       -196.103    0.70   1.83400    37.2           
20         21.699    0.45                             
21         30.253    3.54   1.43875    94.9           
22        -25.349    0.80                             
23         19.304    0.58   1.95375    32.3           
24         13.881    4.39   1.48749    70.2           
25        -75.273  (可変)                             
26       -124.442    2.23   1.84666    23.8           
27        -16.011    0.58   1.78590    44.2           
28         23.070  (可変)                             
29         98.878    5.07   1.48749    70.2           
30        -16.186    0.77   2.00069    25.5           
31        -35.084    0.17                             
32         33.585    4.49   1.48749    70.2           
33        -35.391  (可変)                             
34          ∞       1.60   1.51633    64.1           
35          ∞     (可変)                             
像面        ∞   
非球面データ
第10面
K = 0.00000e+000  A 4=-4.52156e-005  A 6= 1.52174e-007  A 8= 1.30021e-009  
第11面
K = 0.00000e+000  A 4=-7.82277e-005  A 6= 2.85310e-007  A 8= 7.82520e-010  
第17面
K = 0.00000e+000  A 4=-9.01866e-006  A 6=-5.47165e-008  A 8= 3.07282e-010  
第18面
K = 0.00000e+000  A 4= 2.16768e-005  A 6=-7.40304e-008  A 8= 4.56859e-010  
各種データ
ズーム比     13.00 
広角     中間     望遠
焦点距離       9.91    51.67   128.78  
Fナンバー      2.85     4.10     4.60  
半画角        33.05     8.16     3.29  
像高           6.45     7.41     7.41  
レンズ全長   140.81   140.81   140.81  
BF            14.24    14.24    14.24  
d 7            1.37    24.01    33.71  
d 9            4.46     3.65     4.64  
d15           34.47    12.64     1.95  
d16           11.29     0.95     0.95  
d25            2.98    14.38    13.75  
d28           17.18    16.11    16.75  
d33            6.39     6.39     6.39  
d35            6.79     6.79     6.79  
ズームレンズ群データ(広角端状態)
群  始面    焦点距離  
1    1      53.18  
2    8     -10.61    
SP  16       ∞    
3   17      22.67  
4   26     -26.77  
R   29      33.91  
【００７６】
（数値実施例９）
単位 mm
面データ
面番号i      ri       di     ndi        vdi
1        136.108    1.73   1.91650    31.6           
2         42.051    8.04   1.43875    94.9           
3       -319.896    0.15                             
4         72.152    3.26   1.43875    94.9           
5        416.653    0.13                             
6         43.712    5.02   1.76385    48.5           
7       1640.852  (可変)                             
8       -119.700    0.86   2.00330    28.3           
9         24.879  (可変)                             
10*       -36.307    0.95   1.58313    59.4           
11*        15.028    3.87                             
12        -21.246    0.80   1.43875    94.9           
13        283.648    0.94                             
14         61.369    2.07   1.92286    18.9           
15        -59.358  (可変)                             
16(絞り)    ∞     (可変)                             
17*        17.040    4.81   1.58313    59.4           
18*      -259.082    3.68                             
19       -930.720    0.70   1.83400    37.2           
20         19.555    0.46                             
21         27.336    3.33   1.43875    94.9           
22        -29.161    0.80                             
23         20.401    0.58   1.95375    32.3           
24         14.589    3.38   1.48749    70.2           
25        -92.685  (可変)                             
26       -101.760    2.70   1.84666    23.8           
27        -12.555    0.58   1.78590    44.2           
28         24.211  (可変)                             
29         33.495    6.04   1.48749    70.2           
30        -14.418    0.77   2.00069    25.5           
31        -41.798    0.17                             
32         40.341    4.48   1.48749    70.2           
33        -25.641  (可変)                             
34          ∞       1.45   1.51633    64.1           
35          ∞     (可変)                             
像面        ∞   
非球面データ
第10面
K = 0.00000e+000  A 4= 2.36968e-005  A 6=-4.19034e-007  A 8= 4.06008e-009  
第11面
K = 0.00000e+000  A 4=-2.62604e-005  A 6=-6.46769e-007  A 8= 6.92358e-009  
第17面
K = 0.00000e+000  A 4=-1.13595e-005  A 6=-4.28085e-008  A 8= 5.82192e-011  
第18面
K = 0.00000e+000  A 4= 1.55704e-005  A 6=-5.05319e-008  A 8= 2.39408e-010  
各種データ
ズーム比     13.00 
広角     中間     望遠
焦点距離      10.50    47.86   136.46  
Fナンバー      2.85     4.10     4.60  
半画角        31.56     8.80     3.11  
像高           6.45     7.41     7.41  
レンズ全長   143.15   143.15   143.15  
BF            15.83    15.83    15.83  
d 7            1.24    23.93    33.66  
d 9            2.77     0.80     3.14  
d15           34.47    13.75     1.69  
d16            9.44     3.07     1.23  
d25            6.35    16.74    12.42  
d28           12.74     8.72    14.88  
d33            7.99     7.99     7.99  
d35            6.89     6.89     6.89  
ズームレンズ群データ(広角端状態)
群  始面    焦点距離  
1    1      52.01  
2    8      -8.76  
SP  16       ∞    
3   17      24.90  
4   26     -27.54  
R   29      30.90  
【００７７】
【表１】
2018025624.tif 000004
【符号の説明】
【００７８】
Ｂ１  第１群
Ｂ２  第２群
Ｂ３  第３群
Ｂ４  第４群
ＢＲ  後群
【図１】
2018025624.tif 000005
【図２】
2018025624.tif 000006
【図３】
2018025624.tif 000007
【図４】
2018025624.tif 000008
【図５】
2018025624.tif 000009
【図６】
2018025624.tif 000010
【図７】
2018025624.tif 000011
【図８】
2018025624.tif 000012
【図９】
2018025624.tif 000013
【図１０】
2018025624.tif 000014
【図１１】
2018025624.tif 000015
【図１２】
2018025624.tif 000016
【図１３】
2018025624.tif 000017
【図１４】
2018025624.tif 000018
【図１５】
2018025624.tif 000019
【図１６】
2018025624.tif 000020
【図１７】
2018025624.tif 000021
【図１８】
2018025624.tif 000022
【図１９】
2018025624.tif 000023